(57)【特許請求の範囲】
【請求項１】
高所作業装置の支柱(4)を含む柱側部材(4P)に沿う閉脚位置と、下端部を前記柱側部材(4P)の側方に拡開した開脚位置との間で開閉自在とされる補助脚(10)と、前記補助脚(10)の開閉を可能とする開閉機構(9)と、前記補助脚(10)を閉脚位置と開脚位置にロック可能とするロック機構(26)を備えたアウトリガー装置であり、
前記開閉機構(9)は、柱側部材(4P)に補助脚(10)を開閉自在に連結する回動自在な上側アーム(8a)と下側アーム(8b)を備え、
前記上側アーム(8a)は、一端部を第１枢軸(20)により柱側部材(4P)に枢結すると共に他端部を第２枢軸(21)により補助脚(10)に枢結し、第１枢軸(20)から第２枢軸(21)に向かうアーム姿勢を、補助脚(10)を閉脚したとき、上向き姿勢で補助脚(10)に沿う閉脚姿勢(P1)とし、補助脚(10)を開脚したとき、下向き姿勢で補助脚(10)に沿う開脚姿勢(P2)とするように構成されており、
前記ロック機構(26)は、ロック位置(L)とアンロック位置(U)の間を移動可能として補助脚(10)に設けられた操作部材(27)と、前記操作部材(27)と前記上側アーム(8a)を相互に回動不能に係止する閉脚ロック手段(29)及び開脚ロック手段(30)を備え、
前記閉脚ロック手段(29)は、上向きの閉脚姿勢(P1)とされた上側アーム(8a)に対して、操作部材(27)をロック位置(L)に移動したとき係止し、操作部材(27)をアンロック位置(U)に移動したとき係止を解除するように構成され、
前記開脚ロック手段(30)は、下向きの開脚姿勢(P2)とされた上側アーム(8a)に対して、操作部材(27)をロック位置(U)に移動したとき係止し、操作部材(27)をアンロック位置(U)に移動したとき係止を解除するように構成されて成ることを特徴とする高所作業装置におけるアウトリガー装置。
【請求項２】
前記上側アーム(8a)は、閉脚姿勢(P1)及び開脚姿勢(P2)とされた状態で断面溝形に形成された補助脚(10)の内部空間に格納されるように構成され、
前記操作部材(27)は、補助脚(10)の上端部に摺動自在に嵌合されたグリップ部材(27a)を構成し、付勢手段(28)により補助脚(10)に沿って上向きに弾発付勢され、上向き移動した位置をロック位置(L)とすると共に下向き移動した位置をアンロック位置(U)とするように構成され、上側アーム(8a)に向けて第１係止手段(31)及び第２係止手段(32)を設けており、
前記第１係止手段(31)と、閉脚姿勢(P1)とされたとき該第１係止手段に臨む上側アームの第１壁部(22)に設けた閉脚係止手段(36)により、補助脚(10)に形成した窓開口(33)を介して相互に係脱自在に係止する閉脚ロック手段(29)を構成し、
前記第２係止手段(32)と、開脚姿勢(P2)とされたとき該第２係止手段に臨む上側アームの第２壁部(23)に設けた開脚係止手段(37)により、前記窓開口(33)を介して相互に係脱自在に係止する開脚ロック手段(30)を構成して成ることを特徴とする請求項１に記載の高所作業装置におけるアウトリガー装置。
【請求項３】
前記操作部材(27)を補助脚(10)に沿って上向きに弾発付勢する付勢手段(28)を設け、付勢された操作手段(27)をロック位置(L)に停止させるストッパ(35,41)を設けており、
前記第１係止手段(31)及び第２係止手段(32)と、閉脚係止手段(36)及び開脚係止手段(37)の相互に、上側アーム(8a)が閉脚姿勢(P1)及び開脚姿勢(P2)に向けて回動するとき、相互に摺擦することにより操作部材(27)を付勢手段(28)に抗してアンロック位置(U)に向けて移動させる斜面から成るガイド部(38,39)を設けて成ることを特徴とする請求項２に記載の高所作業装置におけるアウトリガー装置。
【請求項４】
前記第１係止手段及び第２係止手段は、それぞれ操作部材(27)から補助脚(10)に形成した窓開口(33)を介して該補助脚の内部に突出する第１係止爪(31)及び第２係止爪(32)により構成され、
前記閉脚係止手段及び開脚係止手段は、それぞれ上側アーム(8a)の第１壁部(20)及び第２壁部(21)に形成した閉脚係止孔(36)及び開脚係止孔(37)により構成され、
前記閉脚係止孔(36)及び開脚係止孔(37)は、それぞれ操作部材(27)の付勢方向に対向する縁部により係止部(36a,37a)を形成し、該係止部に第１係止爪及び第２係止爪を係止するように構成して成ることを特徴とする請求項３に記載の高所作業装置におけるアウトリガー装置。
【請求項５】
前記柱側部材(4P)は、主脚(4a)と該主脚の下端から伸縮自在とされた伸縮脚(4b)を備えた支柱(4)を構成し、前記アウトリガー装置(6)は、前記支柱に添設される支持部材(7)に前記開閉機構(9)を介して補助脚(10)を設けており、
前記支柱(4)の主脚(4a)と前記支持部材(7)の間に、支持部材を主脚の長手方向に移動自在に連結するスライドガイド機構(11)を設けると共に、前記支柱(4)の伸縮脚(4b)と前記支持部材(7)を相互に連結する連結手段(12)を設け、支持部材(7)を伸縮脚(4b)の伸縮移動に同行して移動するように構成して成ることを特徴とする請求項１、２、３又は４に記載の高所作業装置におけるアウトリガー装置。
【請求項６】
前記スライドガイド機構(11)は、支柱(4)の主脚(4a)に固設される固定部材(13)と支持部材(7)の間に設けられて成ることを特徴とする請求項５に記載の高所作業装置におけるアウトリガー装置。
【発明の詳細な説明】
【技術分野】
【０００１】
本発明は、脚立、梯子、作業台等の高所作業装置におけるアウトリガー装置に関する。
【背景技術】
【０００２】
従来、脚立、梯子、作業台、その他の高所作業装置（以下単に「高所作業装置」と総称する。）は、地面に安定設置できるように構成されているが、不整地面や、作業者の重心移動、その他の原因により、万一転倒すると、人身事故のおそれがあるため、高所作業装置の支柱にアウトリガー装置を装着したものが提案されている。
【先行技術文献】
【特許文献】
【０００３】
【特許文献１】特開２００４−１３１９７１号公報
【特許文献２】特許第４０３５４８６号公報
【発明の概要】
【発明が解決しようとする課題】
【０００４】
このようなアウトリガー装置は、高所作業装置の支柱の側方に拡開自在とされた補助脚を備えている。従って、補助脚は、不使用時には前記支柱に沿うように閉脚可能であり、必要に応じて、開脚することにより使用される。
【０００５】
一般的に、補助脚を開閉可能とする開閉機構は、前記支柱を含む柱側部材と補助脚の間にアームを設け、該アームの両端部をそれぞれ柱側部材と補助脚に枢結することにより、折畳み自在なリンク機構を構成する。この際、アームは、補助脚を閉脚したとき、柱側部材と補助脚に重なり合って格納されることが好ましい。
【０００６】
ところで、補助脚を閉脚した状態でアームが自由に回動自在とされているときは、高所作業装置の運搬時等に補助脚が閉脚状態から不慮に開脚するおそれがあり、運搬者や近隣の者を負傷させる等の危険がある。また、補助脚を開脚した状態でアームが自由に回動自在とされているときは、高所作業時に補助脚が開脚状態から不慮に閉脚するおそれがあり、高所作業装置の転倒の危険がある。このため、補助脚の開閉機構は、補助脚を閉脚状態及び／又は開脚状態において開閉不能にロックする施錠装置を設けることが望ましい。
【０００７】
しかしながら、例えば、施錠装置がロックピンを挿脱するように構成されている場合、作業者は、補助脚を開閉した後、引き続いて、ロックピンの挿入作業が必要となる。また、ロックピンを挿入した状態から補助脚を開閉するためには、開閉作業に先立ち、ロックピンの引抜作業が必要となる。ロックピン以外の係脱手段を設けた施錠装置の場合にも、同様に、補助脚の開閉作業とは別に、施錠装置自体の操作が必要である。従って、作業が煩雑であり、時間と労力を浪費するという問題がある。
【０００８】
本発明の主たる課題は、補助脚の開閉と、閉脚状態及び／又は開脚状態のロックをワンタッチ作業で行うことができるようにしたアウトリガー装置を提供する点にある。即ち、本発明は、補助脚を開閉するとき、閉脚作業の完了と同時に補助脚が閉脚状態でロックされ、開脚作業の完了と同時に補助脚が開脚状態でロックされる装置を提供する。
【０００９】
ところで、高所作業装置は、高所作業の現場に応じて、比較的低位の高所作業（以下「低位高所作業」という。）と、比較的高位の高所作業（以下「高位高所作業」という。）を１つの装置で選択可能とするように構成されていると便利であり、このため、主脚と該主脚の下端から伸縮自在とされた伸縮脚を備えた支柱（以下「伸縮支柱」という。）を設けた高低自在な高所作業装置が提供されている。
【００１０】
そこで、このような高低自在な高所作業装置において、伸縮支柱の主脚にアウトリガー装置を取付けると、伸縮支柱を伸長させた高位高所作業時には、アウトリガー装置から開脚した補助脚が宙吊り状態となり接地しない。従って、伸縮支柱と同様に、アウトリガー装置の補助脚も伸縮構造とする必要があり、高コストを招来するという問題がある。
【００１１】
しかも、アウトリガー装置の補助脚を伸縮構造とした場合でも、作業現場において、高所作業装置の伸縮支柱を伸縮させる作業とは別に、アウトリガー装置の補助脚を伸縮する作業が必要となるため、高所作業装置の設置作業が煩雑であり、時間と労力を浪費するという問題がある。
【００１２】
本発明は、前記主たる課題に加え又は前記主たる課題とは別に、伸縮支柱を備えた高低自在な高所作業装置に簡単に装着可能なアウトリガー装置を提供し、特に、現場における設置に際して、伸縮支柱を伸長させたときアウトリガー装置が追従して伸長位置に移動し、その状態で補助脚を開脚すると好適に地面に接地可能とされ、伸縮支柱を収縮させたときアウトリガー装置が追従して収縮位置に移動し、その状態で補助脚を開脚すると好適に地面に接地可能とされる装置を提供することを課題とする。
【課題を解決するための手段】
【００１３】
そこで、本発明が上記主たる課題を解決するための手段として構成したところは、高所作業装置の支柱を含む柱側部材に沿う閉脚位置と、下端部を前記柱側部材の側方に拡開した開脚位置との間で開閉自在とされる補助脚と、前記補助脚の開閉を可能とする開閉機構と、前記補助脚を閉脚位置と開脚位置にロック可能とするロック機構を備えたアウトリガー装置であり、前記開閉機構は、柱側部材に補助脚を開閉自在に連結する回動自在な上側アームと下側アームを備え、前記上側アームは、一端部を第１枢軸により柱側部材に枢結すると共に他端部を第２枢軸により補助脚に枢結し、第１枢軸から第２枢軸に向かうアーム姿勢を、補助脚を閉脚したとき、上向き姿勢で補助脚に沿う閉脚姿勢Ｐ１とし、補助脚を開脚したとき、下向き姿勢で補助脚に沿う開脚姿勢Ｐ２とするように構成されており、前記ロック機構は、ロック位置とアンロック位置の間を移動可能として補助脚に設けられた操作部材と、前記操作部材と前記上側アームを相互に回動不能に係止する閉脚ロック手段及び開脚ロック手段を備え、前記閉脚ロック手段は、上向きの閉脚姿勢とされた上側アームに対して、操作部材をロック位置に移動したとき係止し、操作部材をアンロック位置に移動したとき係止を解除するように構成され、前記開脚ロック手段は、下向きの開脚姿勢とされた上側アームに対して、操作部材をロック位置に移動したとき係止し、操作部材をアンロック位置に移動したとき係止を解除するように構成されて成る点にある。
【００１４】
本発明の好ましい実施形態において、前記上側アームは、閉脚姿勢及び開脚姿勢とされた状態で断面溝形に形成された補助脚の内部空間に格納されるように構成され、前記操作部材は、補助脚の上端部に摺動自在に嵌合されたグリップ部材を構成し、付勢手段により補助脚に沿って上向きに弾発付勢され、上向き移動した位置をロック位置とすると共に下向き移動した位置をアンロック位置とするように構成され、上側アームに向けて第１係止手段及び第２係止手段を設けており、前記第１係止手段と、閉脚姿勢とされたとき該第１係止手段に臨む上側アームの第１壁部に設けた閉脚係止手段により、補助脚に形成した窓開口を介して相互に係脱自在に係止する閉脚ロック手段を構成し、前記第２係止手段と、開脚姿勢とされたとき該第２係止手段に臨む上側アームの第２壁部に設けた開脚係止手段により、前記窓開口を介して相互に係脱自在に係止する開脚ロック手段を構成している。
【００１５】
この際、前記操作部材を補助脚に沿って上向きに弾発付勢する付勢手段を設け、付勢された操作手段をロック位置に停止させるストッパを設け、前記第１係止手段及び第２係止手段と、閉脚係止手段及び開脚係止手段の相互に、上側アームが閉脚姿勢及び開脚姿勢に向けて回動するとき、相互に摺擦することにより操作部材を付勢手段に抗してアンロック位置に向けて移動させる斜面から成るガイド部を設けることが好ましい。
【００１６】
更に本発明の好ましい実施形態において、前記第１係止手段及び第２係止手段は、それぞれ操作部材から補助脚に形成した窓開口を介して該補助脚の内部に突出する第１係止爪及び第２係止爪により構成され、前記閉脚係止手段及び開脚係止手段は、それぞれ上側アームの第１壁部及び第２壁部に形成した閉脚係止孔及び開脚係止孔により構成され、前記閉脚係止孔及び開脚係止孔は、それぞれ操作部材の付勢方向に対向する縁部により係止部を形成し、該係止部に第１係止爪及び第２係止爪を係止するように構成されている。
【００１７】
また、本発明は、上記別の課題を解決する手段として、前記柱側部材は、主脚と該主脚の下端から伸縮自在とされた伸縮脚を備えた支柱を構成し、前記アウトリガー装置は、前記支柱に添設される支持部材に前記開閉機構を介して補助脚を設けており、前記支柱の主脚と前記支持部材の間に、支持部材を主脚の長手方向に移動自在に連結するスライドガイド機構を設けると共に、前記支柱の伸縮脚と前記支持部材を相互に連結する連結手段を設け、支持部材を伸縮脚の伸縮移動に同行して移動するように構成している。
【００１８】
この際、前記スライドガイド機構は、支柱の主脚に固設される固定部材と支持部材の間に設けることができる。
【発明の効果】
【００１９】
請求項１に記載の本発明によれば、補助脚１０の閉脚位置と開脚位置に応じて、開閉機構９の上側アーム８ａを上向きの閉脚姿勢Ｐ１と下向きの開脚姿勢Ｐ２の間で回動するように構成しているので、閉脚位置から開脚位置まで補助脚１０を拡開させたとき、補助脚１０は拡開回動と共に下向き移動するので、該補助脚１０の下端を接地面に近づけることが可能になり、アウトリガー装置６による所期の安全性に貢献する。
【００２０】
この際、上記のような上側アーム８ａの姿勢変更に応じて、上側アーム８ａと補助脚１０を相互に回動不能にロックする閉脚ロック手段２９と開脚ロック手段３０を備えたロック機構２６を構成し、操作部材２７をロック位置Ｌに移動させたとき閉脚ロック手段２９及び開脚ロック手段３０を係止し、操作部材２７をアンロック位置Ｕに移動させたとき閉脚ロック手段２９及び開脚ロック手段３０の係止を解除するように構成しているので、閉脚状態又は開脚状態のロックをワンタッチで行うことができ、しかも、ロック状態から、操作部材２７をアンロック位置Ｕに移動するだけで、補助脚１０の閉脚又は開脚を行うことができるので、補助脚１０のロックによる安全と、迅速容易な開閉作業が可能になる。
【００２１】
請求項２に記載の本発明によれば、操作部材２７がグリップ部材２７ａを構成し、該操作部材２７を補助脚１０に沿って上向きに弾発付勢する付勢手段２８を設けており、該付勢手段２８により上向き移動されたロック位置Ｌのグリップ部材２７ａを握持してアンロック位置Ｕに向け下向き移動すれば閉脚ロック手段２９の係止が解除され、引き続き補助脚１０の下向き移動により開脚させることができるので、握持したグリップ部材２７ａを下向き移動させる一連のワンタッチの動作により閉脚状態の補助脚１０のロック解除と開脚が可能になるという利点がある。
【００２２】
そして、閉脚姿勢Ｐ１及び開脚姿勢Ｐ２の状態で、上側アーム８ａが補助脚１０に格納され、閉脚ロック手段２９及び開脚ロック手段３０を構成する操作部材２７の第１係止手段３１及び第２係止手段３２と、上側アーム８ａの閉脚係止手段３６及び開脚係止手段３７は、補助脚１０の窓開口３３を介して係脱するように構成され、操作部材２７及び補助脚１０の内部空間に設けられているので、外部から視認できず外観美麗とされ、しかも、操作部材２７の移動時に、作業者の手指が閉脚係止手段３６及び開脚係止手段３７により指詰めされる等の危険はなく、安全に使用できる。
【００２３】
請求項３に記載の本発明によれば、補助脚１０を閉脚又は開脚させる際、付勢手段２８により弾発付勢された操作部材２７をストッパ３５、４１によりロック位置Ｌに停止させた状態で、上側アーム８ａを閉脚姿勢Ｐ１及び開脚姿勢Ｐ２に向けて回動する場合でも、ガイド部３８、３９により操作部材２７が付勢手段２８に抗して自動的にアンロック位置Ｕに向けて移動させられ、閉脚姿勢Ｐ１及び開脚姿勢Ｐ２への回動が完了したとき、自動的にロック位置Ｌに移動して閉脚係止手段３６及び開脚係止手段３７を係止するので、補助脚１０の閉脚位置及び開脚位置でのロックを自動的に行わせることが可能になる。
【００２４】
請求項４に記載の本発明によれば、操作部材２７に設けた第１係止爪３１及び第２係止爪３２に対して、上側アーム８ａの第１壁部２０及び第２壁部２１に閉脚係止孔３６及び開脚係止孔３７を形成するという簡単な構造により、閉脚係止手段３６及び開脚係止手段３７を構成できるので、製造容易にして安価に提供することが可能になる。
【００２５】
請求項５及び請求項６に記載の本発明によれば、作業現場において、低位高所作業と高位高所作業に対応するため、高所作業装置１の支柱４を伸縮する際、該支柱４を伸縮させるだけで、アウトリガー装置６を自動的に所定位置に移動させることができ、その状態で補助脚１０を開脚すれば、補助脚１０の拡開した下端部が好適に接地可能とされ、安全に高所作業を行うことができるという効果がある。
【図面の簡単な説明】
【００２６】
【図１】本発明に係るアウトリガー装置を備えた高所作業装置に関し、伸縮支柱を収縮させた状態を示す正面図である。
【図２】本発明に係るアウトリガー装置を備えた高所作業装置に関し、伸縮支柱を伸長させた状態を示す正面図である。
【図３】本発明に係るアウトリガー装置の１実施形態を分解した状態で示す斜視図である。
【図４】本発明に係るアウトリガー装置の１実施形態に関し、伸縮支柱に固設した固定部材に対してスライドガイド手段を介して支持部材を取付け、補助脚とアームを分解した状態で示す斜視図である。
【図５】本発明に係るアウトリガー装置の１実施形態に関し、アウトリガー装置を高所作業装置の伸縮支柱に装着し、補助脚を閉脚した状態で示す斜視図である。
【図６】本発明に係るアウトリガー装置の開閉機構とロック機構の１実施形態に関して、上側アームと補助脚と操作部材を分解した状態で示す斜視図である。
【図７】本発明の第１実施形態に関し、補助脚を閉脚した状態で示す縦断側面図である。
【図８】本発明の第１実施形態に関し、閉脚状態とされたアウトリガー装置の横断面を示し、（Ａ）は図７のＡ−Ａ線断面図、（Ｂ）は図７のＢ−Ｂ線断面図である。
【図９】本発明の第１実施形態に関し、閉脚状態とされたアウトリガー装置の横断面を示し、（Ｃ）は図７のＣ−Ｃ線断面図、（Ｄ）は図７のＤ−Ｄ線断面図である。
【図１０】アウトリガー装置のロック機構に関し、閉脚ロック手段がロックされた状態を示す縦断側面図である。
【図１１】アウトリガー装置のロック機構に関し、閉脚ロック手段がアンロックされた状態を示す縦断側面図である。
【図１２】本発明の第１実施形態に関し、補助脚を閉脚状態から開脚状態に向けて拡開する動作を示す縦断側面図である。
【図１３】アウトリガー装置のロック機構に関し、開脚ロック手段がロックされた状態を示す縦断側面図である。
【図１４】本発明の第１実施形態に関し、補助脚を開脚した状態で示す縦断側面図である。
【発明を実施するための形態】
【００２７】
以下図面に基づいて本発明の好ましい実施形態を詳述する。
【００２８】
＜高所作業装置＞
図１及び図２は、高所作業装置１の１例としての脚立１ａを示しており、脚立１ａは、梯子状の脚体２を備え、図示省略しているが頂部の天板３に対して一対の脚体２、２が対面状態で近接・離反方向に開閉自在に構成されており、各脚体２は、ほぼハ字状に並設された一対の支柱４、４に踏桟５を架設した梯子状に形成されている。支柱４は、主脚４ａと該主脚４ａの下端から伸縮自在かつ伸縮位置で固定自在とされた伸縮脚４ｂを備えた伸縮支柱を構成しており、図１に示すように収縮させた状態で低位高所作業を可能とし、図２に示すように伸長させた状態で高位高所作業を可能とする。図例の場合、断面形状の大きい主脚４ａに断面形状の小さい伸縮脚４ｂを摺動自在に挿入することにより入れ子式の伸縮支柱を構成しているが、これに限定されるものではない。
【００２９】
＜アウトリガー装置＞
そこで、本発明のアウトリガー装置６は、前記支柱４、４のうち少なくとも一方の支柱４の外側面に装着される。図示実施形態の場合は、両方の支柱４、４にそれぞれアウトリガー装置６、６が装着されている。尚、図面は、高所作業装置１として脚立１ａを例示しているが、本発明のアウトリガー装置６は、脚立の他、梯子や、作業台等、伸縮支柱を備えた種々の高所作業装置に任意に装着可能であることを理解されたい。
【００３０】
また、後述するスライドガイド機構１１を備えたアウトリガー装置６は、高所作業装置１の伸縮支柱４に装着して使用されるが、本発明は、スライドガイド機構１１を必須要件とするものではない。従って、非伸縮の支柱を有する高所作業装置１に本発明のアウトリガー装置６を装着する場合、スライドガイド機構１１は必要でないことを諒解されたい。
【００３１】
＜開閉機構＞
図面に示す１実施形態において、アウトリガー装置６は、前記支柱４に添設される支持部材７と、該支持部材７に対して上側アーム８ａと下側アーム８ｂにより構成された開閉機構９を介して開閉自在に連結された補助脚１０を備えている。
【００３２】
図示実施形態の場合、後述するスライドガイド機構１１を設けるため、開閉機構９を支持部材７と補助脚１０の間に設けているが、本発明は、スライドガイド機構１１を必須要件とするものでない。従って、スライド機構を有しない高所作業装置１に本発明を実施する場合、開閉機構９を支柱４に対して直接に装着することが可能であり、要するに、支柱４を含む柱側部材４Ｐと補助脚１０の間に設ければ良い。つまり、開閉機構９を取付けるための柱側部材４Ｐは、支柱４でも良く、あるいは支柱４に設けられた支持部材７のような部材でも良い。
【００３３】
図示のように、支柱４と共にアウトリガー装置６を上下方向に向けた姿勢において、上側アーム８ａは、アウトリガー装置６の上部に配置され、下側アーム８ｂは、前記上側アーム８ａの下方に配置されており、補助脚１０を支持部材７に沿わせた閉脚位置（図１及び図２に実線で示す）と、補助脚１０の下端部を支柱４の側方に拡開した開脚位置（図１及び図２に鎖線で示す）との間で開閉自在とするように構成されている。この際、上側アーム８ａは、下側アーム８ｂよりも短く形成されており、これにより、開脚された補助脚１０は、上端部を支持部材７に近接させた状態で、下端部を大きく拡開した傾斜姿勢を保持することができる。
【００３４】
＜スライドガイド機構＞
図示実施形態の場合、前記支柱４の主脚４ａと支持部材７の間には、該支持部材７を主脚４ａの長手方向に移動自在に連結するスライドガイド機構１１が設けられ、前記支柱４の伸縮脚４ｂと支持部材７を相互に連結する連結手段１２が設けられている。
【００３５】
図例の場合、支柱４の主脚４ａに固定部材１３が固設され、該固定部材１３と支持部材７の間にスライドガイド機構１１が設けられている。前記固定部材１３は、主脚４ａの両側にそれぞれボルト等の固着手段により固着される長尺のレール部材１４、１４により構成され、支持部材７は、底壁７ａと両側壁７ｂを備えた長尺の溝形部材により構成されており、それぞれアルミニウム等の金属押出材により形成することができる。
【００３６】
固定部材１３を構成するレール部材１４、１４の起立部と、支持部材７の底壁７ａの裏側には、相互にガイド溝１５とガイドリブ１６が設けられ、固定部材１３を主脚４ａに固設した状態で、ガイド溝１５とガイドリブ１６を摺動自在に嵌合すると、支持部材７を主脚４ａの長手方向に移動自在に連結したスライドガイド機構１１が構成される。
【００３７】
図示実施形態の場合、ガイド溝１５をレール部材１４、１４に設け、ガイドリブ１６を支持部材７に設けているが、反対に、ガイド溝１５を支持部材７に設け、ガイドリブ１６をレール部材１４、１４に設けても良い。
【００３８】
更に、図示実施形態の場合、固定部材１３と支持部材７の間にスライドガイド機構１１を構成しているが、固定部材１３を不要として、支柱４の主脚４ａと支持部材７の相互に摺動自在に嵌合するガイド溝とガイドリブを設け、支柱４の主脚４ａと支持部材７の間にスライドガイド機構１１を構成しても良い。
【００３９】
前記連結手段１２は、図例の場合、支持部材７の下端部に位置して底壁７ａの裏側にボルト等の固着手段により固着される金属板片１７により構成されており、該金属板片１７の延長端部を伸縮脚４ｂの下端近傍部にボルト等の固着手段により固着される。伸縮脚４ｂと連結手段１２の固着位置は、図１及び図２に鎖線で示すように、伸縮脚４ｂの下端を接地した状態で補助脚１０を開脚したとき、該補助脚１０の下端部が接地可能な所定高さ位置で拡開される位置となるように設定されている。しかしながら、連結手段１２が図例の構成に限定されないことは勿論であり、例えば、図例のような別体の金属板片１７を使用することなく、支持部材７に一体に形成した壁部等を伸縮脚４ｂにビス等で固定することにより連結しても良い。
【００４０】
そこで、支柱４を収縮させるため、伸縮脚４ｂを主脚４ａに挿入すると、連結手段１２により支持部材７が伸縮脚４ｂに追従して同行し、図１に示すように、スライドガイド機構１１を介して支持部材７を主脚４ａの側面位置まで移動させる。
【００４１】
反対に、支柱４を伸長させるため、伸縮脚４ｂを主脚４ａから引き出すと、連結手段１２により支持部材７が伸縮脚４ｂに追従して同行し、図２に示すように、スライドガイド機構１１を介して支持部材７を伸縮脚４ｂの側面位置まで移動させる。
【００４２】
従って、作業者は、作業現場において、低位高所作業と高位高所作業に対応するため高所作業装置１の支柱４を伸縮する際、該支柱４を伸縮させるだけで、アウトリガー装置６を自動的に所定位置に移動させることができる。
【００４３】
＜開閉機構とロック機構の実施形態＞
前記補助脚１０は、支持部材７に向けて開口する溝部１８ａを有し、該溝部１８ａの両側壁１８ｂ、１８ｂと溝底壁１８ｃを備えた断面溝形に形成され、閉脚位置に閉脚した状態で、前記支持部材７に覆い被さり、該支持部材７の両側壁７ｂ、７ｂを溝部１８に収納させたコンパクトな閉脚状態を可能にする。尚、補助脚１０の下端には接地用の端具１９が固着されている。このような補助脚１０は、アルミニウム等の金属押出材により形成することができ、端具１９は、合成樹脂により成形することができる。
【００４４】
前記開閉機構９を構成する上側アーム８ａは、一端部を支持部材７の両側壁７ｂ、７ｂに架設状に軸支された第１枢軸２０により枢結されると共に、他端部を補助脚１０の両側壁１８ｂ、１８ｂに架設状に軸支された第２枢軸２１により枢結されている。上側アーム８ａの第１枢軸２０から第２枢軸２１に向かうアーム姿勢は、図１０に示すように補助脚１０を閉脚したとき、上向き姿勢として補助脚１０の溝部１８ａに沿って格納される閉脚姿勢Ｐ１とされ、図１３に示すように補助脚１０を開脚したとき、下向き姿勢として補助脚１０の溝部１８ａに沿って格納される開脚姿勢Ｐ１とされる。
【００４５】
閉脚姿勢Ｐ１と開脚姿勢Ｐ２の間で反転回動されるアーム８ａは、閉脚姿勢Ｐ１とされたとき補助脚１０の溝底壁１８ｃに対面する第１壁部２２と、開脚姿勢Ｐ２とされたとき補助脚１０の溝底壁１８ｃに対面する第２壁部２３を備えている。
【００４６】
下側アーム８ｂは、上側アーム８ａの下方位置において、一端部を支持部材７の両側壁７ｂ、７ｂに架設状に軸支された第１枢軸２４により枢結されると共に、他端部を補助脚１０の両側壁１８ｂ、１８ｂに架設状に軸支された第２枢軸２５により枢結されている。下側アーム８ｂの第１枢軸２４から第２枢軸２５に向かうアーム姿勢は、図７に示すように補助脚１０を閉脚したとき、上向き姿勢として補助脚１０の溝部１８ａに沿って格納される格納姿勢とされ、図１４に示すように補助脚１０を開脚したとき、補助脚１０に交差する拡開姿勢とされる。
【００４７】
上記のように構成した開閉機構９において、補助脚１０を閉脚位置と開脚位置にロック可能とするロック機構２６が設けられている。ロック機構２６は、ロック位置Ｌとアンロック位置Ｕの間で移動するように補助脚１０に設けられた操作部材２７と、該操作部材２７をロック位置Ｌに向けて弾発付勢する付勢手段２８と、前記操作部材２７と上側アーム８ａを相互に回動不能に係止する閉脚ロック手段２９と開脚ロック手段３０を備えている。閉脚ロック手段３０は、上向きの閉脚姿勢Ｐ１とされた上側アーム８ａに対して、操作部材２７が付勢手段２８によりロック位置Ｌに移動したとき係止し、操作部材２７を付勢手段２８に抗してアンロック位置Ｕに移動したとき係止を解除するように構成されている。開脚ロック手段３０は、下向きの開脚姿勢Ｐ２とされた上側アーム８ａに対して、操作部材２７が付勢手段２８によりロック位置Ｌに移動したとき係止し、操作部材２７を付勢手段２８に抗してアンロック位置Ｕに移動したとき係止を解除するように構成されている。
【００４８】
図示実施形態において、操作部材２７は、補助脚１０の上端部に摺動自在に嵌合されたグリップ部材２７ａを構成し、補助脚１０の溝底壁１８ｃと両側壁１８ｂ、１８ｂを外側から覆うように被冠される基壁２７ｂと両側壁２７ｃ、２７ｃを備えた溝形に形成されており、基壁２７ｂから溝内に延びる第１係止爪３１と第２係止爪３２を備えている。図例の場合、補助脚１０に沿って上下方向に向けて設けられた操作部材２７に関して、下側に第１係止爪３１を配置し、上側に第２係止爪３２を配置している。
【００４９】
これに対して、補助脚１０は、図６に示すように、溝底壁１８ｃに窓開口３３を開設しており、被冠した操作部材２７の第１係止爪３１及び第２係止爪３２を該窓開口３３に挿通させるように構成している。この際、窓開口３３の両側縁に切欠き部３３ａを形成すると共に、第１係止爪３１及び第２係止爪３２の両側部に突部３１ａ、３２ａを設け、突部３１ａ、３２ａを切欠き部３３ａに進入させることにより第１係止爪３１及び第２係止爪３２を窓開口３３に挿通させた後、操作部材２７をロック位置Ｌ及びアンロック位置Ｕに移動したときは、突部３１ａ、３２ａが切欠き部３３ａから離れた位置で窓開口３３の両側縁に重なり、これにより操作部材２７が補助脚１０に分離不能に組み付けられるように構成することが好ましい。
【００５０】
前記窓開口３３は、下縁部から該窓開口の内部に延びる保持部３４を設けており、付勢手段２８を構成するコイルスプリングを保持部３４に外挿すると共に、圧縮されたコイルスプリングを操作部材２７の第１係止爪３１に弾接する。これにより、操作部材２７は、補助脚１０に沿って上向きに弾発付勢されており、第２係止爪３２を窓開口３３の上縁部に当接する。従って、図１０に示すように、第２係止爪３２を窓開口３３の上縁部によりストッパ３５が構成され、ストッパ３５により操作部材２７を停止させた位置がロック位置Ｌとされている。
【００５１】
そこで、上側アーム８ａは、上向きの閉脚姿勢Ｐ１とされたとき操作部材２７の基壁２７ｂに対面する第１壁部２２に第１係止爪３１を受入れる閉脚係止孔３６を設け、下向きの開脚姿勢Ｐ２とされたとき操作部材２７の基壁２７ｂに対面する第２壁部２３に第２係止爪３２を受入れる開脚係止孔３７を設けている。
【００５２】
図１０に示すように、閉脚係止孔３６は、上側アーム８ａが上向きの閉脚姿勢Ｐ１とされたとき、第１係止爪３１を受入れるように構成され、操作部材２７をロック位置Ｌとアンロック位置Ｕの間で移動したとき、同時に第１係止爪３１を閉脚係止孔３６の内部で移動させる。第１係止爪３１は、先端に斜面となるガイド部３８を設けているので、上側アーム８ａが上向きの閉脚姿勢Ｐ１に向けて回動しつつ補助脚１０に格納されるとき、閉脚係止孔３６の縁部に形成した係止部３６ａにガイド部３８を摺擦することにより、付勢手段２８に抗して操作部材２７と共に第１係止爪３１をアンロック位置Ｕに向けて後退させながら閉脚係止孔３６に進入し、ガイド部３８が係止部３６ａを通過するや否や付勢手段２８によりロック位置Ｌに移動され、係止部３６ａに第１係止爪３１の爪部を係止する。これにより、閉脚係止孔３６と第１係止爪３１は、閉脚された補助脚１０と上側アーム８ａを相互に回動不能にロックする閉脚ロック手段２９を構成する。
【００５３】
図１３に示すように、開脚係止孔３７は、上側アーム８ａが下向きの開脚姿勢Ｐ２とされたとき、第２係止爪３２を受入れるように構成され、操作部材２７をロック位置Ｌとアンロック位置Ｕの間で移動したとき、同時に第２係止爪３２を開脚係止孔３７の内部で移動させる。第２係止爪３２は、先端に斜面となるガイド部３９を設けているので、上側アーム８ａが下向きの開脚姿勢Ｐ２に向けて回動しつつ補助脚１０に格納されるとき、開脚係止孔３７の縁部に形成した係止部３７ａにガイド部３９を摺擦することにより、付勢手段２８に抗して操作部材２７と共に第２係止爪３２をアンロック位置Ｕに向けて後退させながら開脚係止孔３７に進入し、ガイド部３９が係止部３７ａを通過するや否や付勢手段２８によりロック位置Ｌに移動され、係止部３７ａに第２係止爪３２の爪部を係止する。これにより、開脚係止孔３７と第１係止爪３２は、開脚された補助脚１０と上側アーム８ａを相互に回動不能にロックする開脚ロック手段３０を構成する。
【００５４】
＜閉脚及び開脚の作用＞
補助脚１０を閉脚したとき、図７に示すように、補助脚１０は、支持部材７に沿うと共に該支持部材７に覆い被さり、側壁１８ｂ、１８ｂの端縁をレール部材１４、１４に沿わせている（図９（Ｃ）参照）。
【００５５】
閉脚状態において、下側アーム８ｂは、第１枢軸２４から第２枢軸２５に向かうアーム姿勢を上向き姿勢として補助脚１０に格納されている。この際、第２枢軸２５が支持部材７の両側壁７ｂ、７ｂを横断するように位置するため、支持部材７の両側壁７ｂ、７ｂに該第２枢軸２５を受入れる切欠き部７ｃが形成されている。
【００５６】
上側アーム８ａは、図１０に示すように、上向きの閉脚姿勢Ｐ１に回動された状態で補助脚１０に格納され、第１壁部２２を補助脚１０の溝底壁１８ｃに対面させている。操作部材２７は、付勢手段２８に付勢された状態で、ストッパ３５によりロック位置Ｌに停止しており、第１係止爪３１と閉脚係止孔３６により構成された閉脚ロック手段２９を係止し、補助脚１０と上側アーム８ａを相互に回動不能にロックすることにより、補助脚１０を開脚不能に保持している。
【００５７】
この際、上側アーム８ａの第２枢軸２１は、支持部材７の上端よりも上方に位置し、該第２枢軸２１の両端部を補助脚１０に貫通させて両側壁１８ｂ、１８ｂから僅かに突出しており、これに対応して、操作部材２７の両側壁２７ｃ、２７ｃに第２枢軸２１の両端を受入れる受入凹部４０が形成されている（図８（Ａ）参照）。受入凹部４０は、補助脚１０を貫通する第２枢軸２１に対して、操作部材２７をロック位置Ｌとアンロック位置Ｕの間で移動自在とするように大きめに形成されている。図示実施形態の場合、受入凹部４０の縁部が第２枢軸２１の両端に当接することにより、付勢手段２８により付勢された操作部材２７をロック位置Ｌで停止させるためのストッパ４１を構成している。従って、ストッパは、図示のように、窓開口３３と第２係止爪３２の相互に形成されるストッパ３５と、受入凹部４０と第２枢軸２１の相互に形成されるストッパ４１の両方により構成しても良いが、何れか一方により構成しても良い。
【００５８】
この閉脚状態から補助脚１０を開脚するためには、図１１に示すように、作業者が操作部材２７により構成されたグリップ部材２７ａを握持し、該操作部材２７を付勢手段２８に抗して下向きに押下げると、操作部材２７がアンロック位置Ｕに移動し、第１係止爪３１の爪部を閉脚係止孔３６の係止部３６ａから離反させ、閉脚ロック手段２９の係止を解除する。
【００５９】
そこで、グリップ部材２７ａを握持したまま前記押下方向の力を持続すると（又は支持部材７から離れる方向の引出し力を加えると）、図１１に鎖線で示すように、上側アーム８ａは、支持部材７に軸支された第１枢軸２０を支点として回動し、第２枢軸２１の回動軌跡に沿って補助脚１０を移動し、これに伴い、図１２に示すように、下側アーム８ｂが展開され、補助脚１０の下端部を拡開する。
【００６０】
従って、作業者は、下側アーム８ｂの展開と共に補助脚１０を図１４に示す開脚位置まで拡開することができる。この際、上側アーム８ａは、図１３に示す開脚姿勢Ｐ２として補助脚１０に格納され、開脚ロック手段３０を係止し、補助脚１０と上側アーム８ａを相互に回動不能にロックすることにより、補助脚１０を開脚状態に保持する。このように上側アーム８ａが上向きの閉脚姿勢Ｐ１から下向きの開脚姿勢Ｐ２に姿勢変更し、補助脚１０を枢結した閉脚時の第２枢軸２１の位置を開脚と共に下方に移動させるので、補助脚１０は拡開回動と共に下向き移動し、該補助脚１０の下端の端具１９を接地面に近づける。
【００６１】
作業者が握持したグリップ部材２７ａ（操作部材２７）をアンロック位置Ｕに保持したまま補助脚１０を開脚位置まで開脚させる場合は、上側アーム８ａが上向きの開脚姿勢Ｐ２まで回動されるとき、第２係止爪３２を開脚係止孔３７に自由に受入れるので、その後、操作部材２７を放せば、付勢手段２８により操作部材２７がロック位置Ｌに移動し、開脚ロック手段３０を係止する。
【００６２】
作業者がグリップ部材２７ａ（操作部材２７）を握持せずロック位置Ｌに位置させた状態で補助脚１０を開脚位置まで開脚させる場合は、上側アーム８ａが上向きの開脚姿勢Ｐ２に向けて回動されるとき、開脚係止孔３７の係止部３７ａとガイド部３９により、付勢手段２８に抗して第２係止爪３２をアンロック位置Ｕに向けて後退させながら開脚係止孔３７に進入した後、付勢手段２８により自動的にロック位置Ｌに移動することにより、開脚ロック手段３０を係止する。
【００６３】
閉脚状態から再び補助脚１０を閉脚するためには、操作部材２７を付勢手段２８に抗して下向きに押下げ、アンロック位置Ｕに移動すると、開脚ロック手段３０の係止が解除されるので、下側アーム８ｂを閉じさせながら補助脚１０を閉脚させれば良い。この際、上側アーム８ａは、図１０に示す閉脚姿勢Ｐ１として補助脚１０に格納され、閉脚ロック手段２９を係止し、補助脚１０と上側アーム８ａを相互に回動不能にロックすることにより、補助脚１０を閉脚状態に保持する。
【００６４】
この場合も、作業者が握持したグリップ部材２７ａ（操作部材２７）をアンロック位置Ｕに保持したまま補助脚１０を閉脚位置まで閉脚させる場合は、上側アーム８ａが下向きの閉脚姿勢Ｐ１まで回動されるとき、第１係止爪３１を閉脚係止孔３６に自由に受入れるので、その後、操作部材２７を放せば、付勢手段２８により操作部材２７がロック位置Ｌに移動し、閉脚ロック手段２９を係止する。
【００６５】
作業者がグリップ部材２７ａ（操作部材２７）を握持せずロック位置Ｌに位置させた状態で補助脚１０を閉脚位置まで閉脚させる場合は、上側アーム８ａが下向きの閉脚姿勢Ｐ１に向けて回動されるとき、閉脚係止孔３６の係止部３６ａとガイド部３８により、付勢手段２８に抗して第１係止爪３１をアンロック位置Ｕに向けて後退させながら閉脚係止孔３６に進入した後、付勢手段２８により自動的にロック位置Ｌに移動することにより、閉脚ロック手段２９を係止する。
【００６６】
本発明は、上述した図示実施形態に限定されるものではなく、例えば、操作部材２７は、上記実施形態のような付勢手段２８を設けることが好ましいが、付勢手段２８を設けず、手動でロック位置Ｌに移動させるように構成しても良い。また、閉脚ロック手段２９及び開脚ロック手段３０は、上記実施形態において、第１係止爪３１及び第２係止爪３２と閉脚係止孔３６及び開脚係止孔３７により構成しているが、必ずしも爪と孔による係止構造でなくても良く、要するに、上側アーム８ａを回動不能とするように係脱自在に係止するものであれば良い。
【符号の説明】
【００６７】
１  高所作業装置
１ａ  脚立
２  脚体
３  天板
４  （伸縮）支柱
４Ｐ  支柱側部材
４ａ  主脚
４ｂ  伸縮脚
５  踏桟
６  アウトリガー装置
７  支持部材
７ａ  底壁
７ｂ  側壁
７ｃ  切欠き部
８ａ  上側アーム
８ｂ  下側アーム
９  開閉機構
１０  補助脚
１１  スライドガイド機構
１２  連結固定手段
１３  固定部材
１４  レール部材
１５  ガイドリブ
１６  ガイド溝
１７  金属板片
１８ａ  補助脚の溝部
１８ｂ  補助脚の側壁
１８ｃ  補助脚の溝底壁
１９  端具
２０  上側アームの第１枢軸
２１  上側アームの第２枢軸
Ｐ１  上側アームの閉脚姿勢
Ｐ２  上側アームの開脚姿勢
２２  上側アームの第１壁部
２３  上側アームの第２壁部
２４  下側アームの第１枢軸
２５  下側アームの第２枢軸
２６  ロック機構
２７  操作部材
２７ａ  グリップ部材
２７ｂ  操作部材の基壁
２７ｃ  操作部材の側壁
２８  付勢手段
２９  閉脚ロック手段
３０  開脚ロック手段
３１  第１係止爪
３２  第２係止爪
３１ａ、３２ａ  突部
３３  窓開口
３３ａ  切欠き部
３４  保持部
３５  ストッパ
３６  閉脚係止孔
３６ａ  係止部
３７  開脚係止孔
３７ａ  係止部
３８  ガイド部
３９  ガイド部
４０  受入凹部
４１  ストッパ
【図１】
0005916519.tif 000002
【図２】
0005916519.tif 000003
【図３】
0005916519.tif 000004
【図４】
0005916519.tif 000005
【図５】
0005916519.tif 000006
【図６】
0005916519.tif 000007
【図７】
0005916519.tif 000008
【図８】
0005916519.tif 000009
【図９】
0005916519.tif 000010
【図１０】
0005916519.tif 000011
【図１１】
0005916519.tif 000012
【図１２】
0005916519.tif 000013
【図１３】
0005916519.tif 000014
【図１４】
0005916519.tif 000015